Podtech/llm-jp-corpus-v4-ja_patent huggingface dataset:
(57)【要約】      （修正有）【課題】簡易なバーベキュー炉としての用途使いを可能とする園芸用の鉢カバーとその支持具を提供する。【解決手段】園芸用鉢カバーの上部開口部に鉄板を乗せる際の通気と鉄板の支持部と内部に燃料受け用網の支持部と燃料の火力調整のための通気量調整開口部とその調整具を有する。【選択図】図１
0003151983.tif 000002
【実用新案登録請求の範囲】
【請求項１】
園芸用の鉢カバーとその支持具であって、簡易なバーベキュー炉としての用途の切り替えを可能とする園芸用の鉢カバーとその支持具。
【考案の詳細な説明】
【技術分野】
【０００１】
家庭用の簡易バーベキュー炉に関する分野である。
【背景技術】
【０００２】
現在、家庭用やアウトドア用のバーベキューに関連する専用の機具が多数提供されているが、何れも形状が大きいために、収納にはある程度のスペースが必要であり、収納場所からの取り出しや準備に労力と時間を要している。また、庭等に設置されている場合もあるが、庭の修景上据え置きは適さないものである。
【先行技術文献】
【特許文献】
【０００３】
【特許文献１】実願２００３−３４５４
【考案の概要】
【考案が解決しようとする課題】
【０００４】
家庭でバーベキューを楽しむためのバーベキュー炉のセットや関連品が提供されているが、使用しない時には収納戸などの収納場所を必要とし、バーベキューを楽しむためにもある程度の設置スペースを確保して収納場所から持ち出し、セッティングする等収納や準備に労力や時間を要していた。これらの問題点に関して、簡易な家庭用バーベキュー炉を提供し、設置場所の修景にも配慮されたものであることを課題とする。
【課題を解決するための手段】
【０００５】
簡易な家庭用バーベキュー炉を提供するために、多くの家庭で保有している園芸用の鉢やコンテナに着目、園芸用から用途を切り替えるのみで簡易なバーベキュー炉使いを可能とする。また、この方法により更に修景上の課題を解決する。
【考案の効果】
【０００６】
多くの家庭の庭やベランダ等に飾られている園芸用の資材を利用して、簡易なバーベキュー炉へと用途の切り替えを可能とする特長によって、従来の収納場所の確保、収納場所からの移動、セッティングのためのスペースの確保等の準備を不要として、庭やベランダでバーベキューが簡易に楽しめる効果が得られる。
【図面の簡単な説明】
【０００７】
【図１】本考案の鉢カバー形状とその支持具
【図２】本考案の園芸用途使いの図
【図３】本考案のバーベキュー炉用途使いの図
【考案を実施するための形態】
【０００８】
本考案の特長を実施例に従って説明する。実施例の説明に関する形状や部位等は、本実施例を説明するためのものであり、同様の効果が得られればこれに限定されない。
【０００９】
図1の1は、園芸用途時には鉢カバーの役割を有する。また1は、バーベキュー炉としての用途使い切り替え時には炉本体の役割を有するものである。1本体及び1の開口部上部4は両用途使い時に、必要な強度と厚みを有する特長をもつ。2は1の内部に燃料等を設置する際の燃料受け用網の支持部である。3は、1をバーベキュー炉としての用途使いの場合に、燃料の火力調整のための通気量調整開口部とその調整具である。4は、1に鉄板を乗せる際の鉄板支持部と通気を確保する役割を果たす部位である。
【００１０】
図1の5は、6を付属した1と７の支持具で、バーベキュー作業がし易い高さを有する特長を持つ。この支持具５、６の材質及び構造は、園芸用鉢カバーと用途切り替え時のバーベキュー炉使いの作業時に於いても安全で安定した支持形状と強度を有し、十分な重量を保持する材質及び構造である。本考案の実施例では5の支持脚は3本で実施したが必要に応じてその構造は変更するものとする。7は、園芸用途の場合には1の排水受けの役割を有し、場合によっては植栽鉢の役割を果たす。またバーベキュー炉用途時には水を張り1の灰などの受け皿の役割を果たす。
【００１１】
図2は、図１の1に8のポット入り植物を配置した園芸用途使いの図である。1にポット苗や植物を配置した鉢カバー使いとすることで、バーベキュー炉への用途の切り替え時の作業をより簡易にする。
【００１２】
図3は、図1のバーベキュー炉用途使い切り替え時の図である。9は、2に支持された燃料受け用の網で、9に10の固形燃料を設置する。3は燃焼力調整のための空気量調整部で、必要に応じた燃焼力の調整を可能とする。7は1からの灰等を受ける容器で、水を張ることが可能である。1に11の鉄板を設置した場合、4はその支持部と通気を確保する役割を果たす。11に12の食材を並べる。11は食材によって鉄板や網に変えてバーベキューを楽しむことを可能とする。
【産業上の利用可能性】
【００１３】
従来の家庭用やアウトドア用に提供されるバーベキュー炉は、常時設置型ではなく、形状も鉄板や網の形状と燃料部や炉が同サイズであるために、収納時には形状と同等のスペースを必要とする。またアウトドアでの使用がほとんどであるために、使用期間も限られるものである。しかし、本考案の鉢カバーバーベキュー炉は、家庭で多く使われている園芸用資材に着目し、用途の切り替えのみで簡易に園芸観賞用に植物の鉢カバーとして、またバーベキューを楽しむ場合には、場所の移動を不要としてバーベキュー炉への用途への切り替えを簡易に提供可能とする特長をもつものである。更に時期や場所、従来のような大掛かりな準備を必要とせず、庭やベランダ、屋上等、従来スペースや収納等からも不向きと思われている場所で、簡易にバーベキューを楽しめることを可能とした。昨今の屋外レジャー活動を重視する傾向の中で、園芸の分野に屋外レジャー要素を取り込んだ新しい提案となる可能性を有するものである。
【符号の説明】
【００１４】
１、  鉢カバー及び用途切り替え時のバーベキュー炉
２、  内部の支持部位
３、  鉢カバー下部空気量調整部
４、  本体に備えられた鉄板等支持部
５、  支持具
６、  ５に付属した1及び7の支持具
７、  下部受け鉢
８、  ポット植物  
９、  燃料受け部
１０、燃料
１１、バーベキュー用鉄板
１２、バーベキュー食材
【図１】
0003151983.tif 000003
【図２】
0003151983.tif 000004
【図３】
0003151983.tif 000005
【手続補正書】
【提出日】平成21年5月7日(2009.5.7)
【手続補正１】
【補正対象書類名】実用新案登録請求の範囲
【補正対象項目名】全文
【補正方法】変更
【補正の内容】
【実用新案登録請求の範囲】
【請求項１】
園芸用鉢カバーの上部開口部に鉄板を乗せる際の通気と鉄板の支持部と内部に燃料受け用網の支持部と燃料の火力調整のための通気量調整開口部とその調整具を有して簡易なバーベキュー炉としての用途使いを可能とする園芸用の鉢カバーとその支持具。
(57)【要約】      （修正有）【課題】利用者にとって、入浴時に取り外し、出る際に再設置するわずらわしさを解消する風呂蓋を提供する。【解決手段】風呂湯面に多数の小さな浮き保温断熱体を敷き詰めるように浮かせることにより、バスタブの形状を気にせずに使用できる。バスタブのサイズについて、バスタブの湯面の面積が大きい場合は浮き保温断熱体の数量を増やせば対応できる。利用者が入浴する場合は、多数の小さな浮き保温断熱体を浮かべたまま、かきわけて入浴でき、バスタブから出れば多数の小さな浮き保温断熱体はもとの湯面上に敷き詰めた状態に戻る。【選択図】図１
0003151982.tif 000002
【実用新案登録請求の範囲】
【請求項１】
家庭用風呂湯面に多数敷き詰めて浮かせる保温断熱体。
風呂湯面に多数の小さな浮き保温断熱体を敷き詰めるように浮かせることにより、バスタブの形状を気にせずに使用できる。バスタブのサイズについて、バスタブの湯面の面積が大きい場合は浮き保温断熱体の数量を増やせば対応できる。
利用者が入浴する場合は、多数の小さな浮き保温断熱体を浮かべたまま、かきわけて入浴でき、バスタブから出れば、多数の小さな浮き保温断熱体はもと湯面上に敷き詰めた状態に戻る。
【考案の詳細な説明】
【技術分野】省エネルギーのため、家庭用風呂湯面の断熱効果を高め、かつ入浴時の脱着のわずらわしさを無くすために考案した。
【背景技術】従来、風呂湯面に浮かせる風呂蓋の考案はあったが、風呂蓋の場合バスタブの形状やサイズに合わせなければならなかった。また、利用者にとっては、入浴時に取り外し、出る際に再設置するわずらわしさがあった。
【考案の概要】
【考案が解決しようとする課題】家庭用風呂の追い炊きのエネルギー負担を軽減するため、風呂蓋を風呂湯面に直接浮かせる考案はあったが、風呂蓋の形状やサイズを精密にバスタブにあわせる必要があった。
また、利用者にとっても、入浴時に取り外し、出る際に再設置するわずらわしさがあった。
【課題を解決するための手段】今まで考案された風呂蓋ではなく、風呂湯面に多数の小さな浮き保温断熱体を敷き詰めるように浮かせることにより、バスタブの形状を気にせずに使用できる。
バスタブのサイズについて、バスタブの湯面の面積が大きい場合は浮き保温断熱体の数量を増やせば対応できる。
利用者が入浴する場合は、多数の小さな浮き保温断熱体を浮かべたまま、かきわけて入浴でき、バスタブから出れば、多数の小さな浮き保温断熱体はもと湯面上に敷き詰めた状態に戻る。
【図面の簡単な説明】
【図１】バスタブに当考案の多数の小さな浮き保温断熱体を浮かべた状態の図。
【考案を実施するための形態】
当考案の多数の小さな浮き保温断熱体のサイズは、５センチメートルから１０センチメートルが適当と思慮する。形状は立方体、四角錐、三角錐、球を組み合わせて多数使用することにより、湯面の断熱の隙間を減らすことができる。
多数の小さな浮き保温断熱体の材質は発泡スチール、空気をつめた軟質樹脂で家庭用風呂の保温断熱効果が得られる。
中空の硬質樹脂製断熱体の空気を抜いたものを使用すれば更に高い保温断熱効果が期待できる。
【図１】
0003151982.tif 000003
【手続補正書】
【提出日】平成21年4月10日(2009.4.10)
【手続補正１】
【補正対象書類名】実用新案登録請求の範囲
【補正対象項目名】全文
【補正方法】変更
【補正の内容】
【実用新案登録請求の範囲】
【請求項１】
家庭用風呂湯面に多数敷き詰めて浮かせる保温断熱体であって、立方体、四角錐、三角錐、球の形状とされた多数の小さな浮き断熱体が組み合わされており、湯面の断熱の隙間を減らすことができることを特徴とする、保温断熱体。
(57)【要約】      （修正有）【課題】寝たままの男性患者又は高齢者が介護者の助けがなくても自分で尿器の入った移動できる台車を引張り、自分で排尿できる男性用の寝たままトイレを提供する。【解決手段】キャスタ３付き台車２を設け、その先端部に押ハンドル４を設ける、台車２の上にボックス５を設け、ボックス５の中に支柱８を設置し、その上部に切込みを設けた尿器受皿を取付ける。尿器受皿に尿器１１をいれる。そしてボックス５の中に貯尿器６を設置し、尿器１１の最下部には逆止弁を組込んだホース１３と貯尿器６で連結されている、貯尿は台車で運び処理する事を特徴とする。【選択図】図１
0003151997.tif 000002
【実用新案登録請求の範囲】
【請求項１】
貯尿器６、尿器１１をボックス５に入れたキャスタ３ー付き台車２にのせ移動、運搬が楽な寝たままでトイレができる男性用寝たままトイレ。
【請求項２】
ベッドの側に寝たまま本体を移動して排尿できることを特徴とする、請求項１に記載の寝たままトイレ。
【考案の詳細な説明】
【技術分野】
【０００１】  本考案は、ベッドから起きてトイレにいけない生活を余儀なくされている寝たままの高齢者、障害者等に寝たままで使用できるトイレに関する。
【背景技術】
【０００２】  従来は、入院の場合、トイレ付き個室を希望したり、更にベット近くにポータブルトイレを準備するなど、排泄は重要な問題で費用もかかる。又、自宅でも、寝たきりの高齢者、障害者はトイレに行く回数が多く、夜間に何回もトイレに行くので大変であり介護人の手助けが必要であるのが現状である。患者は援助をお願いするのを遠慮したり、又タイムリーに援助が不可能なこともあり問題が多い。又、自宅でベットを使用しない場合、総体的に本体を低くして対応する。
【考案の開示】
【考案が解決しようとする課題】
【０００３】  それには次のような問題点があった。
生きるための障害は千差萬別で、意識不明の重態から全身マヒ、半身マヒ、加齢によって老衰、認知症その他手術、事故傷害などあるが、全面介護の場合、本人と介護人による場合、本人に気力、体力、補助具などの場合が考えられる。
例えば、急に寝たままの患者が尿意をもようしたとき介護者が近くにいない、病院等で看護婦さんが忙しく走りまわっている時など患者は頼みづらいなどがあり、本人が自力で出来る方法がないかなど課題が多く、そこでこれらの問題を解決しようとするものである。
【課題を解決するための手段】
【０００４】  本考案は、特に男性尿器として、従来の物を改良したことで、効率が向上した。
キャスタ３付き台車２を設け、その先端部に押ハンドル４を設ける、台車２の上にボックス防止枠１５、ボックス５を設け、ボックス５の中に支柱８を設置し、その上部に切込み１０を設けた尿器受皿９を取付ける。尿器受皿９に尿器１１をいれる。そしてボックス５の中に貯尿器６を設置し、尿器１１の最下部には逆止弁１４を組込んだホース１３と貯尿器６で連結されている。ホース１３はハサミ接続７で固定されている。
患者、障害者、高齢者が尿意をもよおしたときに、手の届く場所に設置して有る場所から自分のベットの脇に寝たままトイレ本体１を引き寄せ、尿器１１に蓋を開けて排尿し逆止弁１４からホース１３を通じて貯尿器６に尿がたまる。
【考案の効果】
【０００５】  本考案は、急に使いたいとき、カラの状態で手の届くところにあるから失禁がなくなり、不自由な身体でベッドに昇降がなく転倒を防止できる。男性の患者は介護者の手をわづらわす事無なくベッドの近くに置いてある台車の押手で尿器入の台車を引張り自力で排尿が出来る、又、高齢者も寒い夜間に起きる事無く寝たままで排尿できる効果が期待できる。
【考案を実施するための最良の形態】
【０００６】  以下、本考案の実施の形態を説明する。
キャスタ３付き台車２を設け、その先端部に押ハンドル４を設ける、使わないときに垂直にしてボックスに設けたバネはさみで保持する、台車２の上にボックス５を設け、ボックス５の中に支柱８を設置し、その上部に切込み１０を設けた尿器受皿９を取付ける。尿器受皿９に尿器１１をいれる。そしてボックス５の中に貯尿器６を設置し、尿器１１の最下部には逆止弁１４を組込んだホース１３と貯尿器６で連結されている。ホースはハサミ接続７で固定し、貯尿器６の尿量を見計らい台車でトイレに運んで処理する。
尿器に排尿した尿は排尿後、尿器を少し高くして１０度前後傾けると弁が開いて一気に数秒で下部の貯尿器に落下する。尿器は元の尿器受皿に戻し、１回ごとに処理できる。又、各容器はネジ式の密閉型で匂わないから、ドライブ用にも利用でき、片手でも操作可能であり、利き手の側に置き右か左か横向きに寝るとシンボルも右か左に下がるから尿器の口に収め易い、体位は寝たまま使用するときも、座って使用するときも部屋は明るくして再確認する。
本考案は、以上の構成よりなっている。
【図面の簡単な説明】
【０００７】
【図１】  本考案の本体正面図。
【図２】  本考案の本体右側面図
【図３】  本考案の本体平面図
【図４】  本考案の貯尿器正面図
【図５】  本考案の尿器正面
【符号の説明】
【０００８】  １  寝たままトイレ本体
２  台車
３  キャスター
４  押ハンドル
５  ボックス
６  貯尿器
７  ハサミ接続
８  支柱
９  尿器受皿
１０  切込み
１１  尿器
１２  取手
１３  ホース
１４  逆止弁
１５  ボックス防止弁
【図１】
0003151997.tif 000003
【図２】
0003151997.tif 000004
【図３】
0003151997.tif 000005
【図４】
0003151997.tif 000006
【図５】
0003151997.tif 000007
【手続補正書】
【提出日】平成21年4月14日(2009.4.14)
【手続補正１】
【補正対象書類名】実用新案登録請求の範囲
【補正対象項目名】請求項１
【補正方法】変更
【補正の内容】
【請求項１】
貯尿器６、尿器１１を入れたボックス５を、キャスター３付き台車２にのせ、移動、運搬が楽な寝たままでトイレができる男性用寝たままトイレ。
(57)【要約】      （修正有）【課題】無地が多い従来のデニム製品に織物柄という付加価値を与え、効果的な表面加工を可能とする織物生地を提供する。【解決手段】表面が濃色、中心部が淡色・白色の中白糸と、表面から中心部まで濃色の糸を組み合わせて織物柄を作る。その織物生地を使った繊維製品に洗い加工や表面加工を行い、継続使用したような研磨を製品に加えることにより、より多く擦られる部位から濃淡差で柄模様が目立つようになり、使用者に馴染んだ色落ち状態を併せ持つ柄模様を効果的に表現することができる。織物生地を使用した繊維製品は洗い加工・表面加工を行わなくても継続使用すれば、より多く擦られる部位から柄模様が目立ってくる。【選択図】図４
0003151998.tif 000002
【実用新案登録請求の範囲】
【請求項１】
表面を濃色に、中心部を淡色・白色に染色した中白糸と表面から中心部まで濃色に染色された濃色糸を組み合わせて柄模様を形成する織物生地。
【請求項２】
繊維製品の表面を物理的・化学的に研磨すると、織物柄を構成する中白糸と濃色糸の濃淡差が多くなり、繊維製品を継続使用して色落ちしたように柄模様が目立つ織物生地。
【考案の詳細な説明】
【技術分野】
【０００１】本考案は繊維製品の洗い加工、表面加工または継続使用で擦られる部位を染糸濃淡差で柄模様を目立たせる織物生地。
【背景技術】
【０００２】デニム製品は色落ちを効果的に実現するためにロープ染色といって表面が濃色に染まり、中心部は淡色・白色の糸を使用する。このような糸を中白糸と表記する。
中白糸を含んだ織物生地で製作された繊維製品は洗い加工、表面加工または継続使用により擦られた部位の濃色部分が淡色・白色になる。
この変化がデニム製品特有の色落ち状態、着古した外観を呈する。
【考案の概要】
【考案が解決しようとする課題】
【０００３】デニム織物生地には、洗い加工、表面加工などで表面から色落ちする中白糸を一般的には縦糸に使用する。織物の組織は表面に縦糸が多くなる綾組織などである。
その反対の緯糸は一般的には表面に現れるのは少ないので生成色・晒色の糸が使われる。縦糸密度を多く設定する織物構造のために表側のほとんどが濃色の織物生地となる。織物生地の表面多様化のために中白糸の染め方を変化させたり、色落ちがムラになりやすい太さムラのある糸を使用したりする。また、そのような糸を使った織物や繊維製品の洗い加工や表面加工を多様化させて様々な外観の繊維製品を製作している。表面が濃色のため、色落ちなどの表面変化が効果的に現れる。
しかし、市場のデニム製品の織物生地は無地が多く柄物は少ない。【０００４】縦糸に中白糸、緯糸に生成色・晒色の糸で柄模様を形成した織物生地で繊維製品を製作した場合、濃淡差がはっきりした柄模様も洗い加工などで縦糸に使われた中白糸が磨耗すると白くなり、柄模様のコントラストは低下する。また、継続使用するにしたがって表面の磨耗が多くなり、色落ちし、柄模様が目立たなくなる。
このような繊維製品の使用者には柄模様の価値が減少する印象を与える。
【課題を解決するための手段】
【０００５】無地が多い従来のデニム製品に織物柄という付加価値を与え、効果的な表面加工を可能とさせるために次のような考案を行った。
縦糸には表面が濃色に染まり中心部は淡色・白色の中白糸を使用する。
緯糸には従来のような生成色・晒色の糸でなく、中白糸の表面と同様に濃色で中心部まで堅牢な濃色糸を使用する。
織物組織は柄の効果が出るように単純な無地柄でなく模様が目立つ小紋柄やジャカード柄にする。
なお、中白糸と濃色糸の配置を縦糸と緯糸それぞれで代えたり、織物組織を変えたりして柄模様を多様化させることができる。
【考案の効果】
【０００６】表面が同じ濃色の縦糸と緯糸で柄織物にしても表面の色は同じような濃度なので一見すると無地柄となる。
この織物生地を使った繊維製品に特殊な洗い加工や表面加工を行うか、継続使用すると縦糸・緯糸共に表面が研磨される。
しかし、研磨によって相対的に濃色が淡色に変化するのは縦糸の中白糸である。
一方の緯糸は中心部まで濃色だから色の変化は少ない。したがって、中白糸と濃色糸で形成された織物柄の濃淡のコントラストが徐々に大きくなり、織物柄が色彩的に顕在化する。デニム製品独特の外観と柄模様の組み合わせが新しい独特の表面効果となる。
なお、中白糸と濃色糸の配置を縦と緯で代えたり、織物組織を変えたりした生地も多様化した柄の表面効果となる。
【図面の簡単な説明】
【０００７】
【図１】考案の織物構造図  縦糸に表面が濃色で中心部が淡色・白色の中白糸を配置する。緯糸に中心部まで濃色で堅牢な濃色糸を配置する。これらの糸を組み合わせた織物の構造図。縦糸と緯糸による織物構造が分かるように右側と下側からの断面を示す。
【図２】図１の織物の表面を研磨した後の織物構造図  縦糸の表面が研磨され、中心部の淡色・白色が目立つようになった。緯糸は表面が研磨されても濃色は変わらない。縦糸と緯糸による織物構造が分かるように右側と下側からの断面を示す。
【図３】織物の研磨部分を拡大した模式図  織物の表面を部分的に研磨した表面柄模様の変化を拡大して図解した。
【図４】織物の研磨部分の原寸大模式図  織物の表面を部分的に研磨した表面柄模様の変化を原寸大（１２０ｍｍ×１２０ｍｍ）で図解した。
【考案を実施するための形態】
【０００８】織物は多様な組織と糸配列で多くの柄模様を作ることができる。
おおむね３通りに区分できる。
▲１▼縦糸に中白糸、緯糸に濃色糸を配置する、または逆に配置して組織を変える。
▲２▼基本的な織物組織で中白糸と濃色糸の配置組み合わせを変える。
▲３▼糸配置と組織の変化を組み合わせて効果的な織物模様を形成する。
多様な組み合わせで製織した生地を使用した繊維製品に特殊な洗い加工（ストーンウォッシュ、ケミカルウォッシュ）、表面加工（ブラスト加工）などで表面を研磨すると染糸の濃淡コントラストが多くなり、柄模様を効果的に表現できる。
【産業上の利用可能性】
【０００９】本考案の織物生地を使った繊維製品は製品全面に柄が目立つのではなく、デニム製品特有の継続使用により擦られる部位で柄が目立つ独特な外観の製品となる。
無地織物が磨耗によって色落ちしただけで柄のない外観のデニム製品とは異なる。
濃色部分から淡色の柄模様が徐々に現れるので継続使用するほど柄が磨かれ、着こなされた外観を持ったデニム製品になる。
無地のデニム製品に慣れた消費者にとって本考案のような柄物のデニム製品は新たな購買意欲をもたらす商品である。
柄の形成方法は多様であり、無地にはない柄模様による多様な差別化が商品価値を高めて、デニム市場を活性化する商品になると確信する。
考案の織物生地は産業上の利用可能性が大きい。
【図１】
0003151998.tif 000003
【図２】
0003151998.tif 000004
【図３】
0003151998.tif 000005
【図４】
0003151998.tif 000006
【手続補正書】
【提出日】平成21年4月20日(2009.4.20)
【手続補正１】
【補正対象書類名】実用新案登録請求の範囲
【補正対象項目名】全文
【補正方法】変更
【補正の内容】
【実用新案登録請求の範囲】
【請求項１】
糸の表面（鞘）を濃色に染色し、糸の中心部（芯）が淡色・白色になった中白糸と糸の表面から中心部まで濃色に染色した濃色糸を組み合わせて柄模様を形成する織物生地。
(57)【要約】      （修正有）【課題】磁気治療効果を奏する眼鏡を提供する。【解決手段】眼鏡の左右テンプル２に対して、装脱自在に取付けられる磁気治療用固着具３を備えた磁気眼鏡であって、前記磁気治療用固着具３の磁気発生源が金属磁性体または金属磁性体の表面部位にマグネットラバーの小片を貼着したもので構成される。【選択図】図２
0003151992.tif 000002
【実用新案登録請求の範囲】
【請求項１】
眼鏡の左右テンプルに対して、装脱自在に取付けられる磁気治療用固着具を備えた磁気眼鏡であって、前記磁気治療用固着具の磁気発生源が金属磁性体および／または、金属磁性体の表面部位にマグネットラバーの小片を貼着したもので構成されることを特徴とする磁気眼鏡。
【考案の詳細な説明】
【考案の詳細な説明】
【技術分野】
【０００１】  本考案は、磁気治療効果を奏する磁気眼鏡に関するものである。
【背景技術】
【０００２】  本願出願人は先きに、磁気治療効果を目的にした磁気眼鏡の考案を提案し、実用新案登録済となり、実施化している。【０００３】  即ち、この磁気眼鏡は、眼鏡使用者の「こめかみ」の位置に、磁気治療用固着具のマグネットラバーが当接することで、該マグネットラバーより発生する磁気作用が「こめかみ」を刺激してその者の血行を促進させ、眼精疲労や心身ストレス解消等の一助とするものである。【０００４】  しかし、係る従来例にあっては、磁気の発生源がマグネットラバーによって形成されているために、眼鏡使用者の顔汗が自然とマグネットラバーに沁み込み、該マグネットラバーを脆弱させる嫌いや磁気作用を劣化させる等の不具合があった。
【考案の開示】
【考案が解決しようとする課題】
【０００５】  本考案は上述のような実情に鑑みなされたもので、その目的とするところは、磁気作用と，該磁気の齎す治療効果の長期持続を可能にし得る磁気治療用固着具を備えた磁気眼鏡を提供するにある。
【課題を解決するための手段】
【０００６】  即ち、本考案は、眼鏡の左右のテンプルに対して装脱自在に取付けられる磁気治療用固着具を備えた磁気眼鏡であって、前記磁気治療用固着具の磁気発生源が金属磁性体等で構成されることを特徴としている（請求項１）。
【考案の効果】
【０００７】  本考案は請求項１に記載するような形態で実施され、以下に記載されるような効果を奏する。【０００８】  即ち、本考案にあっては、上記従来の磁気眼鏡が採用していた磁気発生源となるマグネットラバーを金属磁性体等に改良したから、眼鏡による磁気治療効果の長期持続を確保することができる。
【考案を実施するための最良の形態】
【０００９】  以下、本考案の実施例説明を、図１，図２，図３に基き説明する。【００１０】  図１は眼鏡の全体斜視図、図２は眼鏡のテンプル部分に磁気治療用固着具を取り付けた状態を示す側面図、図３は磁気治療用固着具の構成説明図を示している。【００１１】  眼鏡１の左右テンプル２には、磁気治療用固着具３が装脱自在に取り付けられる。【００１２】  そして、前記磁気治療用固着具３は、図３に示すように、プラスチック，木，貴金属等により形成される雄側固着体４と、金属磁性体等と、から構成され、前記雄側固着体４に凸設される上下の凸部６と、前記雌側固着体５に凹設される上下の凹部７との相互係脱により、眼鏡１のテンプル２に対して、磁気治療用固着具３の装脱が可能になるよう構成される。【００１３】  本考案は、上記実施例に限定されるものではなく、例えば、前記雄側固着体４と、雌側固着体５を螺合させるような形態によって、磁気治療用固着具を構成し、これを左右テンプル２に取り付けることもできる。【００１４】  そして、前記磁気治療用固着具３の雌側固着体５、すなわち、金属磁性体等が、眼鏡使用者の「こめかみ」位置に当接すると、該雌側固着体５の金属磁性体より発生する磁気が、その者の「こめかみ」を刺激し、血行の促進等を齎すことになり、結果として眼鏡１の左右テンプル２に取付けられる磁気治療用固着具３から発生する磁気作用によってその者の心身ストレス，眼精疲労，頭痛等の不快を解きほぐす等の効果を確保できる。
なお、図２の図面記号８は、雄側固着体４の表面に表示される眼鏡使用者のイニシャル文字を示している。【００１５】  また、本考案にあっては、前記金属磁性体（雌側固着体５）の表面部位にマグネットラバーの小片を固定することができ、係る実施形態にあっては、前記マグネットの小片に眼鏡使用者の顔汗が沁み込み、該マグネットの小片が脆弱して磁力が劣化しても、該マグネットラバーの小片の基盤となる金属磁性体で磁気発生作用を保持できる。【００１６】  更に、本考案にあっては図４に示すように、眼鏡の左右テンプル９の内面部位に凹部１０を形成し、該凹部１０にキャップ１１付き金属磁性体１２を適宣手段により固着してもよい。
この場合、金属磁性体１２の表面は、左右テンプル９の内面部位より少許，突出した形態を保持して固着される。【００１７】  尚、本考案の技術的範囲には、前記雄雌の固着体４，５の外形を円形，方形，花形，星型等に造形すること，前記雄側固着体４の表面に適宣装飾模様を施すことによりファッション性の向上した眼鏡を得られること，また、磁気治療用固着具３自体、眼鏡１のと右テンプル２をスライド調節できるように構成すること等の特徴が含まれる。
また、眼鏡１のパッドを金属磁性体に形成することもできる。
【図面の簡単な説明】
【００１８】
【図１】眼鏡の全体斜視図である。
【図２】眼鏡の左右テンプルに磁気治療用固着具を取り付けた状態を示す側面図である。
【図３】磁気治療用固着具の構成説明図である。
【図４】実施形態の他例を示す説明図である。
【符号の説明】  １    眼鏡
２    眼鏡の左右テンプル
３    磁気治療用固着具
４    雄側固着体
５    雌側固着体
６    凸部
７    凹部
８    イニシャル文字
９    眼鏡の左右テンプル
１０  凹部
１２  キャップ付き金属磁性体
【図１】
0003151992.tif 000003
【図２】
0003151992.tif 000004
【図３】
0003151992.tif 000005
【図４】
0003151992.tif 000006
【手続補正書】
【提出日】平成21年4月12日(2009.4.12)
【手続補正１】
【補正対象書類名】実用新案登録請求の範囲
【補正対象項目名】全文
【補正方法】変更
【補正の内容】
【実用新案登録請求の範囲】
【請求項１】
眼鏡の左右テンプルに対して、装脱自在に取付けられる磁気治療用固着具を備えた磁気眼鏡であって、前記磁気治療用固着具の磁気発生源が金属磁性体または金属磁気体の表面部位にマグネットラバーの小片を貼着したもので構成されることを特徴とする磁気眼鏡。
(57)【要約】      （修正有）【課題】容易な安定設置ができる自転車ペダルを提供する。【解決手段】足底の設置する面を三面としたことを特徴とする。【選択図】図１
0003151991.tif 000002
【実用新案登録請求の範囲】
【請求項１】
本考案は、ペダルと足底の接置面を三面にしたものである。
【考案の詳細な説明】
【技術分野】
【０００１】本考案は、ペダルに足底を接置する面を三面に改良したものである。
【背景技術】
【０００２】従来は、回転軸の両方に平たく、断面からみると矩形の形をしていた。
これでは足底の接置にペダルの面をいちいち確認を要した。
【考案の開示】
【考案が解決しようとする課題】
【０００３】本考案は、ペダルの接置面が三面であるので、足をペダルにのせれば、即刻漕ぐ動作に移れるのである。
【課題を解決するための手段】
【０００４】従来のペダルは、断面からみて矩形の形状であって接置面は二面である為、ペダルに足を乗せる際は、ペダルをみながら行う必要があったが、本考案のペダルの形状は三面になっているので安定接置が容易である。
【考案の効果】
【０００５】本考案の三面接置ペダルは、足をペダルに乗せた段階で、前方注視の姿勢で発進出来るのである。
【実施例】
【０００６】ペダルの接置面が三面であるので、足底の接置がスムーズに行われる。
二面ペダルの様に接置調整が不要である。
【図面の簡単な説明】
【０００７】
【図１】本考案の三面ペダルのイラスト図である。
【図２】三面ペダルの断面図である。
【符号の説明】
【０００８】  １，三面ペダル
２，中心軸シャフト
【図１】
0003151991.tif 000003
【図２】
0003151991.tif 000004
【手続補正書】
【提出日】平成21年4月13日(2009.4.13)
【手続補正１】
【補正対象書類名】実用新案登録請求の範囲
【補正対象項目名】全文
【補正方法】変更
【補正の内容】
【実用新案登録請求の範囲】
【請求項１】
足底を設置する面を三面としたことを特徴とする自転車ペダル。
(57)【要約】      （修正有）【課題】坂道でも押したり引いたりすることができるソリを提供する。【解決手段】舟型のソリ本体と折たたんだ時にソリ本体の底部形状に沿った形を有し底部に収まるハンドルとソリ本体の一端に設けられた回転軸と他端に設けられたハンドルの先端を受けるハンドル留部とを備えている。ソリ本体の前部及び後部は曲面状に形成し、ソリ本体の底部にミゾを造ってハンドルが底部に密着して収まる。【選択図】図１
0003151974.tif 000002
【実用新案登録請求の範囲】
【請求項１】
従来ソリは、冬期間の坂スベリで遊ぶ道具として、又、路上で時折り人を乗せたり、荷物を乗せたり、運搬用として使用する場合もあり、通常道路は平坦あり、上り坂、下り坂と土地柄によって変化していて、その際ソリを運搬目的で使用する場合に、従来ロープでソリをけん引していたが、下り坂になるとソリが加速してけん引者の足に突つかったり、ソリが横転したり危険が倶う場合があり、此等を解決するためにロープから２の棒状のハンドルにした。
【請求項２】
ソリの前後に５と６の船首を設けることで下り坂、上り坂を押したり、引いたりすることが出来る。
【請求項３】
ソリで坂スベリする時は、棒状のハンドルを５の船首に３の回転軸を設けて、７の船底にミゾを造ってハンドルをフィットさせて、４の留部にセットして、２の棒状ハンドルを外さずに坂スベリが出来る様にした。
【考案の詳細な説明】
【技術分野】
【０００１】本考案は従来のソリはロープで引くことのみで、下り坂の時はけん引者の足にソリが突つかり、２の棒状のハンドルにする事で解決した。
又、ソリの前後に５と６の船首を設けることで押すこと引くことが出来る様にした。
又、坂スベリするためにハンドルを外さずスベルため、ソリの７にミゾを造ってハンドルがソリにフィットして、座っても違和感のない様にした。
【背景技術】
【０００２】従来は２の棒状ハンドルの付いたソリがなかった。
【考案の開示】
【考案が解決しようとする課題】
【０００３】従来ソリをロープで平地とか上り坂を引いていたが、下り坂になるとソリが加速してけん引者の足にソリがぶつかる。
【課題を解決するための手段】
【０００４】従来のロープから２の棒状ハンドルにした。ソリの前後に５と６に船首を設けた。
又、ソリの７にミゾを造って、２の棒状ハンドルがソリに密着する様にした。
【考案の効果】
【０００５】棒状のハンドルにしたことにより、押したり引いたりして坂を上下することが出来る。
坂スベリの時、ハンドルを取り外さずにソリスベリが出来る様にした。
【図面の簡単な説明】
【０００６】
【図１】ソリを引いたり押したりする側面図です。
【図２】ソリのハンドルを収納した平面図です。
【図３】ソリの船底にミゾを造って、ハンドルを収納した断面図です。
【符号の説明】
【０００７】１  ソリ本体
２  棒状ハンドル
３  ハンドル回転軸
４  ハンドル留部
５  船首
６  船首
７  船底
【図１】
0003151974.tif 000003
【図２】
0003151974.tif 000004
【図３】
0003151974.tif 000005
【手続補正書】
【提出日】平成21年4月14日(2009.4.14)
【手続補正１】
【補正対象書類名】実用新案登録請求の範囲
【補正対象項目名】全文
【補正方法】変更
【補正の内容】
【実用新案登録請求の範囲】
【請求項１】
舟型のソリ本体と折たたんだ時にソリ本体の底部形状に沿った形を有し底部に収まるハンドルとソリ本体の一端に設けられた回転軸と他端に設けられたハンドルの先端を受けるハンドル留部とを備えているソリ。
【請求項２】
ソリ本体の前部及び後部は曲面状に形成したことを特徴とする請求項１に記載のソリ。
【請求項３】
ソリ本体の底部にミゾを造ってハンドルが底部に密着して収まることを特徴とする請求項１又は２に記載のソリ。
【手続補正２】
【補正対象書類名】明細書
【補正対象項目名】全文
【補正方法】変更
【補正の内容】
【考案の詳細な説明】
【技術分野】
【０００１】本考案は、船型のソリ本体を有するソリに関する。
【背景技術】
【０００２】従来はソリをロープで引いていた。
【考案の開示】
【考案が解決しようとする課題】
【０００３】従来ソリをロープで平地とか上り坂を引いていたが下り坂になるとソリが加速してけん引者の足にソリが突つかる。
【課題を解決するための手段】
【０００４】従来のロープからハンドルにすることで坂道でも押したり引いたりすることができる様になった。
【考案を実施するための形態】
【０００５】本考案はソリはロープで引くことのみで下り坂の時はけん引者の足にソリが突つかりハンドルにする事で足に突つかる事を解決した又、ソリの一端部に曲面状を他端に曲面状を設けることで押すことも引くことも出来る様になった又、ソリの底部にミゾを造ってハンドルを底部に密着させてハンドルを外さず坂スベリできる。
【図面の簡単な説明】
【０００６】
【図１】ソリを押したり引いたりする側面図です。
【図２】ソリのハンドルを収納した平面図です。
【図３】ソリの舟底にミゾを造ってハンドルを収納した側面からの断面図です。
【図４】ソリの舟底のミゾにハンドルが収まっている後方からの断面図です。
【符号の説明】
【０００７】１        舟形のソリ本体
２        ハンドル
３        回転軸
４        ハンドル留部
５        一端部
６        他端部
７        舟底ミゾ
【手続補正３】
【補正対象書類名】図面
【補正対象項目名】全図
【補正方法】変更
【補正の内容】
【図１】
0003151974.tif 000006
【図２】
0003151974.tif 000007
【図３】
0003151974.tif 000008
【図４】
0003151974.tif 000009
(57)【要約】      （修正有）【課題】収納が少なく、散らかりやすい食堂を広くする引き出し付椅子を提供する。【解決手段】椅子の下に箱（軽い物、プラスチック等）を設け、収納部分を作る。また、椅子の下に引き出し等を作る事により、収納量が増え、食堂の散らかりを防げる。【選択図】図１
0003151971.tif 000002
【実用新案登録請求の範囲】
【請求項１】
収納が少ない、散らかりやすい食堂を椅子下収納庫を作る事により、整理しやすくする。
【考案の詳細な説明】
【考案が解決しようとする課題】
収納が少ない、散らかりやすい食堂を椅子下収納庫を作る事により、部屋の空間を広くする。
【課題を解決するための手段】
Ａ  椅子の下に箱（軽い物、プラスチック等）を設け、収納部分を作る。
Ｂ  椅子の下に引き出し等を作る事により、収納量が増え、食堂の散らかりを防げる。
【図１】
0003151971.tif 000003
【手続補正書】
【提出日】平成21年3月12日(2009.3.12)
【手続補正１】
【補正対象書類名】実用新案登録請求の範囲
【補正対象項目名】全文
【補正方法】変更
【補正の内容】
【実用新案登録請求の範囲】
【請求項１】
椅子の間に木を渡し、その上に引き出し（Ｃ）を作り、引き出しにはストッパー及び取手を付け、引き出しの素材は木製か、プラスチック製などとした事を特徴とする、引き出し付き椅子。
【手続補正２】
【補正対象書類名】明細書
【補正対象項目名】全文
【補正方法】変更
【補正の内容】
【考案の詳細な説明】
【考案が解決しょうとする課題】
収納が少なく、散らかりやすい食堂居間を椅子に引き出しを作ることにより、収納量が増え、部屋の整理整頓が出来やすくすることを提案する。
【課題を解決する為の手段】
椅子の下に引き出しを設ける事により、収納部分が増え、細かいものの整理もでき、部屋の整理整頓が可能になる用品。
【図面の簡単な説明】
【図１】立体図  （１，２）
【図２】正面図  （１，２）
【符号の説明】Ａ，Ｂ，  木（引き出しの支えの木）
Ｃ，      引き出し
【手続補正３】
【補正対象書類名】図面
【補正対象項目名】全図
【補正方法】変更
【補正の内容】
【図１】
0003151971.tif 000004
【図２】
0003151971.tif 000005
(57)【要約】      （修正有）【課題】炭や練炭類を使用しないので壁や天井を汚さず、電気グリルと併用出来、家庭内で使用出来る折りたたみ式のいろりを提供する。【解決手段】いろり本体３の側面板に蝶番６が取付けてあり折りたたみ可動となっており、別の側板２枚２を両側側面に差込み、天板１を上に組み込む事で木製台付箱型一体物になり、箱内に電気グリルを入れる空洞が有り、不使用時は、天板１、側板２を取り外す事で台付箱型を小さくおりたたむ事が出来る、という構造を有する。【選択図】図１
0003151972.tif 000002
【実用新案登録請求の範囲】
【請求項１】
家庭内で壁、天井等汚さず使用出来る電気グリルを併用し、風流な網焼きを家族で楽しめる様、しかも夏場等不使用時に収納簡単な、簡単な組み立て、そして折りたたみ式の木製簡易型電気グリル併用式、という構造を有する折りたたみいろり。
【考案の詳細な説明】
【技術分野】
【０００１】本考案は風流ないろりを家庭内で出来、不使用時には、収納に場所を取らず簡単な組み立て、折りたたみ式のいろりに関するものである。
【背景技術】
【０００２】従来のいろりは、一体型で不使用時の収納場所を取りしかも炭や練炭類の火力で、壁や天井が汚れ一酸化炭素発生する為、前例がなかった。
【考案の開示】
【考案が解決しようとする課題】
【０００３】炭や練炭類を使用しないで壁や天井を汚さず電気グリルと併用出来、家庭内で使用出来る様な、いろりが無かった。
【課題を解決するための手段】
【０００４】壁や天井をさほど汚さない電気グリルを使用し、折りたたみいろりを併用する事により、風流にそして、楽しく網焼きが出来、収納も簡単で場所を取らない様、組み立て折りたたみ式にする事で、上述の欠点を解決しようとするものである。
【考案の効果】
【０００５】上述の様に、本考案の折りたたみいろりは、電気グリルサイズで専用として提供するので、使用方法は簡単であり、組み立て組み外しも簡単で、収納には、場所を取らず、持ち運びも容易である。
【考案を実施するための最良の形態】
【０００６】この折りたたみいろりは木製であり、軽量で小さく折りたためるので、棚の上や狭い場所への収納、取り出しは場所を取らず簡単であるが、いろり自体に荷重を掛けると転倒、損傷、やけど等の原因となるので、荷重を掛けずに皿やコップ等を置けるので、小さな机並みの効果がある。
【実施例】
【０００７】以下、添付図面に従い実施例を説明する。１はキャッシュカード等出し入れ口で先方を広角にし、キャッシュカード等収納し易くし、２は手の親指を使用し現金自動支払機にキャッシュカード等を押し込み又は、収納する時に用いる表側にのみある穴、３は本体脱落防止用に紐等で止める為の穴である。
【産業上の利用可能性】
【０００８】
【図面の簡単な説明】
【０００９】
【図１】使用時組み立て後、側面全体図である。
【図２】組み外し、折りたたみ収納時側面図である。
【符号の説明】
【００１０】１          天板
２          側板
３          いろり本体
４          天板取り付け用、蝶ネジ
５          開閉用半丸穴
６          開閉用蝶板
【図１】
0003151972.tif 000003
【図２】
0003151972.tif 000004
【手続補正書】
【提出日】平成21年2月13日(2009.2.13)
【手続補正１】
【補正対象書類名】実用新案登録請求の範囲
【補正対象項目名】全文
【補正方法】変更
【補正の内容】
【実用新案登録請求の範囲】
【請求項１】
：この折りたたみ「いろり」は使用時、木製台付箱型で箱内に電気グリルを入れる空洞が有り不使用時は、台付箱型を小さく折りたたみりが出来る、という構造を有する折りたたみいろり。
【手続補正書】
【提出日】平成21年4月12日(2009.4.12)
【手続補正１】
【補正対象書類名】実用新案登録請求の範囲
【補正対象項目名】全文
【補正方法】変更
【補正の内容】
【実用新案登録請求の範囲】
【請求項１】
この折りたたみ「いろり」は使用時、いろり本体の側面板に蝶番が取付けてあり折りたたみ可動となっており、別の側板２枚を両側側面に差込み天板を上に組み込む事で木製台付箱型一体物になり、箱内に電気グリルを入れる空洞が有り不使用時は、天板、側板を取り外す事で台付箱型を小さく折りたたみりが出来る、という構造を有する折りたたみいろり。
(57)【要約】      （修正有）【課題】均等な塗膜の仕上がりが得られるレンジモルタルフィニッシャーを提供する。【解決手段】底部が解放され、厚みを調節できる敷設ヘラ２をもった構造を有し、自走速度が調節できる電気モーターを動力とすることを特徴とする。【選択図】図１
0003151978.tif 000002
【実用新案登録請求の範囲】
【請求項１】
レジンモルタルを任意の一定の厚みに敷設していく機械であること。
【請求項２】
敷設していく送り速度が調整可能な電気で走行する自動機であること。
【考案の詳細な説明】
【技術分野】
【０００１】  この考案は、建築塗装に関する。
【背景技術】
【０００２】  従来、高分子材料による塗料に骨材を混合した塗装工法は、硬化が早いため工期が短く、耐久性及び衛生上の面で優れていた。
【考案の開示】
【考案が解決しようとする課題】
【０００３】  しかしながら、以上の技術によれば、骨材を含む粘性及び比重が高い塗装材料を塗布する機械は無く、人間が手仕上げで行っていた為、労力を要し、かつ、塗膜の厚さが均等でないという欠点があった。そこで、この考案はかかる労力を減少させ、均等な塗膜の仕上がりを提供することを課題とする。
【課題を解決するための手段】
【０００４】  以上の課題を解決するために、第一考案は、一定の速度で塗装材料を敷設していくことを特徴とする塗料散布機械である。
また、第二考案は、塗膜厚を均等にすることを特徴とする塗料敷設機械である。
第三考案は、材料を格納させるバケットを振動モーターで、振動させることにより、材料の落下及び塗布を促進させるともに、その上に設置された材料容器内の材料の排出をも促進させる効果を持つ。
【考案の効果】
【０００５】  第一考案、または第二考案によれば、労力を減少させ、均等な塗膜厚の仕上がりを提供する。
【考案を実施するための最良の形態】
【０００６】  硬化剤を混合させた材料を本機のバケット部に投入する。材料は重力及び振動モーターによるふるい現象により底部に集まっていく。底部に集まった材料は本体が後ろに走行することによって前面下の隙間より流出し敷設されていく。
【実施例】
【０００７】  以下、添付図面に従って説明する。２のヘラは上下の移動により敷設の厚みを調整することができる。７の開閉シャッターは作業中断等移動時に材料のこぼれを防ぐために閉じることができる構造で、材料の粘度により落下速度が早い場合など底部の開きを適度に閉じて最良の敷設状態を作り出す。【０００８】  この実施形態によれば、人間が手作業で行った場合、５人で９０平方メートル施設するのに３時間かかつていたところが、３人で１５０平方メートルを施設する時間が２時間に短縮された。単純計算すれば、一人当たり１時間で施設できる面積が、６平方メートルから、２５平方メートルと約４倍になり、労力の減少の効果は多大である。
【図面の簡単な説明】
【０００９】
【図１】本体概略図である。
【図２】材料が実際にどのように敷設されるかの図解図である。
【図３】この考案の一実施形態を示す図である。
【符号の説明】
【００１０】１  材料バケット
２  厚み調整敷設ヘラ
３  走行用モーター
４  振動モーター
５  走行車輪
６  走行操作部
７  開閉シャッター
８  材料
【図１】
0003151978.tif 000003
【図２】
0003151978.tif 000004
【図３】
0003151978.tif 000005
【手続補正書】
【提出日】平成21年4月15日(2009.4.15)
【手続補正１】
【補正対象書類名】実用新案登録請求の範囲
【補正対象項目名】全文
【補正方法】変更
【補正の内容】
【実用新案登録請求の範囲】
【請求項１】
レジンモルタルを任意の一定の厚みに敷設していくため、底部が解放され、厚みを調整できる敷設ヘラをもった構造を特徴とする自走式のレジンモルタルフィニッシャー
【請求項２】
多様な状況のレジンモルタルに対応すべく、自走速度が調節できる電気モーターを動力とする［請求項１］のレジンモルタルフィニッシャー
(57)【要約】      （修正有） 【課題】分譲マンション共有部の調査・検査が関連法規を満足し、適正の維持保全が行われていることを所有者や使用者らに掲示するためのパネルを提供する。【解決手段】分譲マンションの維持・管理と財産保全状態を所有者や居住者らに提示する内容は各Ａ、Ｂ、Ｃで構成される。建物管理部Ａの細目はＡ−１建物概要、Ａ−２修繕改修工事、Ａ−３耐震診断調査、Ａ−４各種調査・点検と、管理及び費用部Ｂの細目はＢ−１管理費・積立金、Ｂ−２マンション保険、Ｂ−３各種書類・同保管と、調査・検査部Ｃの細目は特殊建築物定期調査報告証、昇降機定期検査報告済証から成る。【選択図】図３
0003151958.tif 000002
【実用新案登録請求の範囲】
【請求項１】
分譲マンションの維持・管理と財産保全状態を建物管理部、管理及び費用部、調査・検査別に設けられていることを特徴とする提示パネル。
【請求項２】
提示パネルの裏側に関連資料の収納用ファイルを設けた請求項1の提示パネル。
【考案の詳細な説明】
【技術分野】
【０００１】
本考案は分譲マンション共用部の維持・管理と財産保全の提示パネルに関する。
【背景技術】
【０００２】
分譲マンションを調査・検査と運営の透明化することにより、安心、安全及び財産保全が保たれ、その調査・検査結果を提示することでマンションの所有者や使用者らは安心、安全な生活が出来る。しかし現在、この掲示パネルを使っているマンションは殆どありません。
【考案の開示】
【考案が解決しようとする課題】
【０００３】
この種の調査・検査は国、地方自治体及び各種団体が所轄しているため、それらの相互連絡や情報交換がなく、分譲マンションの所有者や使用者らは調査・検査費を支払うが、専門的知識を持った人らが少ないため資料の整理が出来ず、提示されることがないため、分譲マンション共用部の調査・検査が関連法規を満足し、適正に維持保全が行われていることを所有者や使用者らに掲示するためのパネルである。
【課題を解決するための手段】
【０００４】
分譲マンションの維持・管理と財産保全状態を建物管理部、管理及び費用部、調査・検査別に設けられていることを特徴とする提示パネル。
【考案の効果】
【０００５】
分譲マンションの維持・管理と財産保全状態を所有者や居住者らに提示する内容は建物管理部Ａで建物概要、修繕改修工事、耐震診断調査、各種調査・点検と、管理及び費用部Ｂで管理費・積立金、マンション保険、各種書類・同保管と、調査・検査部Ｃで特殊建築物定期調査報告、昇降機定期検査報告済証から成る。また本資料を保管することで、その当時の状況が再現でき、これらの記録を残すことは資源の無駄をなくし、製紙工場から出る廃水の有害な化学薬品を減らし、公害対策にもなる。
【考案を実施するための形態】
【０００６】
図-1に示す建物管理部A、管理及び費用部Ｂと調査・検査部Ｃで構成さ、各A,B,Cはさらに細目Ｄに分れる。
次に、図-2は図-1の裏側に関連資料の収納ファイルEを貼りつける。
【０００７】
図-3に示すように建物管理部AはA1〜Ａ４に分かれ、管理及び費用部ＢはＢ1〜Ｂ3に分かれ、調査・検査部Ｃは特殊建築物定期調査報告証、昇降機定期検査報告済証に分かれる。
【０００８】
図-3の建物管理部Ａの細目ＥはＡ-1の建物概要、Ａ-2の修繕改修工事、Ａ-3の耐震診断調査、Ａ-4の各種調査・点検と、管理及び費用部Ｂの細目EはＢ-1の管理費・積立金、Ｂ-2のマンション保険、Ｂ-3の各種書類・同保管と、調査・検査済証部Ｃは特殊建築物定期調査報告証、昇降機定期検査報告済証で構成される。
【図面の簡単な説明】
【０００９】
【図１】本考案に係る分譲マンション共用部の維持・管理と財産保全の提示パネル図面である。
【図２】本考案に係る提示パネルの裏面に関連資料の収納用ファイルEを設けた図面である。
【図３】本考案に係るＡ部の細目D、Ｂ部の細目D、Ｃ部の細目、の図面である。
【符号の説明】
【００１０】
Ａ・・・建物管理部
Ｂ・・・管理及び費用部
Ｃ・・・調査・検査部
D・・・細目
E・・・関連資料の収納用ファイル
【図１】
0003151958.tif 000003
【図２】
0003151958.tif 000004
【図３】
0003151958.tif 000005